(57)【要約】【課題】装置内部を早期に暖気することが可能な排ガス処理装置を提供する。【解決手段】本発明の排ガス処理装置１Ａは、触媒担持ハニカム構造体１０とハニカムフィルタ２０とが、それぞれの中心軸ａ１，ａ２とのなす角Ａが６０°〜１２０°となるように、ハニカムフィルタ２０に対して触媒担持ハニカム構造体１０が傾いた状態で缶体３０内に保持されており、更に、触媒担持ハニカム構造体１０は、排ガスＧが流入する流入側端面１６から、触媒担持ハニカム構造体１０の長手方向（中心軸ａ１方向）の長さの５０〜８０％の長さ範囲の外周面１８ａが、把持材３３によって保持され、排ガスＧが流出する流出側端面１７から、上記長手方向の長さの２０〜５０％の長さ範囲の外周面１８ｂが排ガスに曝されるように構成されている。【選択図】図２
2011117409.tif 000002
【特許請求の範囲】
【請求項１】
多孔質の隔壁によって排ガスの流路となる複数のセルが区画形成されたハニカム担体に酸化触媒が担持された触媒担持ハニカム構造体と、
多孔質の隔壁によって排ガスの流路となる複数のセルが区画形成され、前記複数のセルのうちの所定のセルの流入側の開口端部と残余のセルの流出側の開口端部とが目封止部によって目封止されたハニカムフィルタと、
前記触媒担持ハニカム構造体及び前記ハニカムフィルタを、その内部に保持し、排ガスの通路となる缶体と、を備え、
前記触媒担持ハニカム構造体が前記缶体の上流側に配置され、且つ、前記ハニカムフィルタが前記缶体の下流側に配置されてなるとともに、
前記触媒担持ハニカム構造体と前記ハニカムフィルタとは、前記触媒担持ハニカム構造体の中心軸ａ１と前記ハニカムフィルタの中心軸ａ２とを含む平面において、前記中心軸ａ１と前記中心軸ａ２とのなす角Ａが６０°〜１２０°となるように、前記ハニカムフィルタに対して前記触媒担持ハニカム構造体が傾いた状態で、それぞれの外周面の少なくとも一部が把持材によって覆われた状態で前記缶体内に保持されており、
前記触媒担持ハニカム構造体は、排ガスが流入する流入側端面から、前記触媒担持ハニカム構造体の長手方向（中心軸ａ１方向）の長さの５０〜８０％の長さ範囲の外周面が、前記把持材によって保持され、排ガスが流出する流出側端面から、前記長手方向の長さの２０〜５０％の長さ範囲の外周面が排ガスに曝されるように構成されてなる排ガス処理装置。
【請求項２】
前記触媒担持ハニカム構造体は、前記触媒担持ハニカム構造体の前記流入側端面側の外周面と、前記缶体の内面との間に、前記触媒担持ハニカム構造体の長手方向に垂直な断面の直径Ｄ１に対して、０．１〜０．３倍の長さに相当する隙間が設けられるように、前記缶体内に保持されている請求項１に記載の排ガス処理装置。
【請求項３】
前記触媒担持ハニカム構造体は、前記触媒担持ハニカム構造体の前記流出側端面と、前記缶体の内面との間に、前記触媒担持ハニカム構造体の長手方向の長さＬ１に対して、０．１５〜０．３５倍の長さに相当する隙間が設けられるように、前記缶体内に保持されている請求項１又は２に記載の排ガス処理装置。
【請求項４】
前記触媒担持ハニカム構造体は、前記触媒担持ハニカム構造体の前記流出側端面が、前記触媒担持ハニカム構造体の前記中心軸に対して傾斜するような形状に構成されたものである請求項１〜３のいずれか一項に記載の排ガス処理装置。
【請求項５】
前記触媒担持ハニカム構造体は、前記触媒担持ハニカム構造体の前記流出側端面の垂線が、前記触媒担持ハニカム構造体の中心軸よりも、前記ハニカムフィルタが配置された側に傾くような形状に構成されたものである請求項４に記載の排ガス処理装置。
【請求項６】
前記触媒担持ハニカム構造体は、前記流出側端面の傾斜する部分の長手方向の長さが、前記触媒担持ハニカム構造体の長手方向の長さＬ１の１０〜５０％の長さに相当するものである請求項４又は５に記載の排ガス処理装置。
【請求項７】
前記ハニカムフィルタは、排ガスを浄化するための触媒が担持されたものである請求項１〜６のいずれか一項に記載の排ガス処理装置。
【請求項８】
前記缶体は、その内壁面の少なくとも一部に、前記触媒担持ハニカム構造体の前記流出側端面から流出した排ガスの流れを調節するための突起部を有する請求項１〜７のいずれか一項に記載の排ガス処理装置。
【発明の詳細な説明】
【技術分野】
【０００１】
本発明は、排ガス処理装置に関する。更に詳しくは、装置内部を早期に暖気することが可能な排ガス処理装置に関する。
【背景技術】
【０００２】
ディーゼルエンジン等の内燃機関、又は各種燃焼装置（以下、適宜「内燃機関等」という）から排出される排ガスにはスート（黒鉛）を主体とする粒子状物質（以下、適宜「パティキュレート・マター」、「パティキュレート」、或いは「ＰＭ」という）が多量に含まれている。このパティキュレートがそのまま大気中に放出されると環境汚染を引き起こすため、内燃機関等からの排ガス流路には、パティキュレートを捕集するためのフィルタが搭載されていることが一般的である。
【０００３】
このような目的で使用されるフィルタとしては、例えば、多孔質の隔壁によって排ガスの流路となる複数のセルが区画形成され、これらの複数のセルのうちの所定のセルの流入側の開口端部と残余のセルの流出側の開口端部とが目封止部によって目封止されたハニカムフィルタを挙げることができる。
【０００４】
例えば、図１１に示されるハニカムフィルタ１１０は、多数の細孔を有する多孔質セラミックスからなる隔壁１０５によって、複数のセル１０１が区画形成されたハニカム構造体１００を備え、複数のセル１０１の一方の開口端部Ｘ（上記所定のセルの流入側の開口端部）と他方の端部Ｙ（残余のセルの流出側の開口端部）とが目封止部１０７によって、互い違いに目封じされている。このようなハニカムフィルタ１１０は、一方の開口端部Ｘが開口したセル１０１ａからガスＧ１が流入すると、セル１０１ａを区画形成する隔壁１０５の表面から隔壁１０５を通過して、他方の端部Ｙが開口したセル１０１ｂからガスＧ２が流出するように構成されている。即ち、セル１０１ａに流入したガスＧ１は、隔壁１０５に形成された細孔を経由してセル１０１ｂに流出し、ハニカムフィルタ１１０の他方の端部Ｙから排出される。そして、上述したように排ガス（ガスＧ１）が隔壁を通過する際に、排ガス中のパティキュレートが隔壁に捕集され、浄化ガスが浄化される。
【０００５】
また、近年、自動車の排ガス中の有害物質に対する規制は、世界的に強化される方向にあり、このような背景の下、排ガスの処理技術として、上記したハニカムフィルタ（例えば、ディーゼルパティキュレートフィルタ（以下、「ＤＰＦ」ともいう）に加え、三元触媒、触媒コンバータ、ディーゼル酸化触媒（ＤＯＣ）、尿素選択型触媒還元（尿素ＳＣＲ）、ＮＯｘ吸蔵還元触媒（ＬＮＴ）等の開発も行われている（例えば、特許文献１〜４参照）。例えば、近時のディーゼルエンジン自動車の排ガス処理装置として、排ガスの上流側から、ＤＯＣ、触媒付ＤＰＦ、尿素ＳＣＲで構成したものを挙げることができる。
【０００６】
上記した特許文献１〜３には、上記したディーゼル酸化触媒（ＤＯＣ）、ディーゼルパティキュレートフィルタ（ＤＰＦ）、及びＮＯｘ吸蔵還元型触媒等を、同一容器（例えば、缶体ともいう）内に直列に配置し、容器内を通過する排ガスを浄化する排ガス処理装置が開示されている。
【０００７】
また、引用文献４には、黒煙除去装置の外周を覆う外周空間及び黒煙除去装置の背部を覆う背部空間を形成する黒煙除去装置外側ケーシングで黒煙除去装置を囲繞するとともに、多孔性部材及び黒煙除去装置内をこの順に通った排気ガスが、前記黒煙除去装置外側ケーシング内の前記背部空間及び外周空間を通ってから、排気出口管に排出されるように構成された二重管式黒煙除去装置が開示されている。
【先行技術文献】
【特許文献】
【０００８】
【特許文献１】特許第３８７３９９９号公報
【特許文献２】特開２００６−０９７６５２号公報
【特許文献３】特開２００８−１２１４５５号公報
【特許文献４】特開２００６−１４４６７２号公報
【発明の概要】
【発明が解決しようとする課題】
【０００９】
しかしながら、上述した特許文献１〜３に記載されたような排ガス処理装置に使用されるディーゼル酸化触媒は、このディーゼル酸化触媒を通過する燃焼排ガスによって触媒機能が良好に発現する温度まで昇温されて、排ガス中の有害成分を酸化するものであるが、上述したように、ディーゼル酸化触媒やディーゼルパティキュレートフィルタ等の排ガス浄化部材は、同一容器内に直列（即ち、直線状）に配置されているため、昇温性能は排ガスが通過するときのみであり、ディーゼル酸化触媒が特定の温度まで昇温されるのには極めて時間が掛かってしまうという問題があった。また、排気系に燃料を過剰に噴射して燃焼を過度に生じさせ、装置内の温度を強制的に上昇させることも行われているが、このような方法では、燃料消費率が悪くなり、経済性が悪化するという問題があった。
【００１０】
また、特許文献４に記載された二重管式黒煙除去装置は、排ガス中の微小固形物を燃焼させるときに、ＤＰＦの内側と外側に温度差が生じ難くなるように、ガス流により、ＤＰＦを外側から加熱するものであるため、昇温機能に優れているが、温度が過剰に上昇してしまい、ＤＰＦ等にクラック等の破損が生じ易いという問題があった。
【００１１】
また、このような排ガス処理装置が自動車に搭載される場合は、搭載スペースの確保が大きな問題となっている。特に、Ｐ−ＮＬＴ規制（Ｐｏｓｔ  Ｎｅｗ  Ｌｏｎｇ  Ｔｅｒｍ：ポスト新長期規制（ＪＰ０９規制ともいう））により、上記排ガス処理装置を、エンジン直下に搭載し、浄化性能を向上させる試みがなされており、排ガス処理装置の省スペース化の要求が高まっている。
【００１２】
本発明は、上述のような従来技術の問題点に鑑みてなされたものであり、装置内部を早期に暖気することが可能な排ガス処理装置を提供するものである。
【課題を解決するための手段】
【００１３】
本発明により、以下の排ガス処理装置が提供される。
【００１４】
［１］  多孔質の隔壁によって排ガスの流路となる複数のセルが区画形成されたハニカム担体に酸化触媒が担持された触媒担持ハニカム構造体と、多孔質の隔壁によって排ガスの流路となる複数のセルが区画形成され、前記複数のセルのうちの所定のセルの流入側の開口端部と残余のセルの流出側の開口端部とが目封止部によって目封止されたハニカムフィルタと、前記触媒担持ハニカム構造体及び前記ハニカムフィルタを、その内部に保持し、排ガスの通路となる缶体と、を備え、前記触媒担持ハニカム構造体が前記缶体の上流側に配置され、且つ、前記ハニカムフィルタが前記缶体の下流側に配置されてなるとともに、前記触媒担持ハニカム構造体と前記ハニカムフィルタとは、前記触媒担持ハニカム構造体の中心軸ａ１と前記ハニカムフィルタの中心軸ａ２とを含む平面において、前記中心軸ａ１と前記中心軸ａ２とのなす角Ａが６０°〜１２０°となるように、前記ハニカムフィルタに対して前記触媒担持ハニカム構造体が傾いた状態で、それぞれの外周面の少なくとも一部が把持材によって覆われた状態で前記缶体内に保持されており、前記触媒担持ハニカム構造体は、排ガスが流入する流入側端面から、前記触媒担持ハニカム構造体の長手方向（中心軸ａ１方向）の長さの５０〜８０％の長さ範囲の外周面が、前記把持材によって保持され、排ガスが流出する流出側端面から、前記長手方向の長さの２０〜５０％の長さ範囲の外周面が排ガスに曝されるように構成されてなる排ガス処理装置。
【００１５】
［２］  前記触媒担持ハニカム構造体は、前記触媒担持ハニカム構造体の前記流入側端面側の外周面と、前記缶体の内面との間に、前記触媒担持ハニカム構造体の長手方向に垂直な断面の直径Ｄ１に対して、０．１〜０．３倍の長さに相当する隙間が設けられるように、前記缶体内に保持されている前記［１］に記載の排ガス処理装置。
【００１６】
［３］  前記触媒担持ハニカム構造体は、前記触媒担持ハニカム構造体の前記流出側端面と、前記缶体の内面との間に、前記触媒担持ハニカム構造体の長手方向の長さＬ１に対して、０．１５〜０．３５倍の長さに相当する隙間が設けられるように、前記缶体内に保持されている前記［１］又は［２］に記載の排ガス処理装置。
【００１７】
［４］  前記触媒担持ハニカム構造体は、前記触媒担持ハニカム構造体の前記流出側端面が、前記触媒担持ハニカム構造体の前記中心軸に対して傾斜するような形状に構成されたものである前記［１］〜［３］のいずれかに記載の排ガス処理装置。
【００１８】
［５］  前記触媒担持ハニカム構造体は、前記触媒担持ハニカム構造体の前記流出側端面の垂線が、前記触媒担持ハニカム構造体の中心軸よりも、前記ハニカムフィルタが配置された側に傾くような形状に構成されたものである前記［４］に記載の排ガス処理装置。
【００１９】
［６］  前記触媒担持ハニカム構造体は、前記流出側端面の傾斜する部分の長手方向の長さが、前記触媒担持ハニカム構造体の長手方向の長さＬ１の１０〜５０％の長さに相当するものである前記［４］又は［５］に記載の排ガス処理装置。
【００２０】
［７］  前記ハニカムフィルタは、排ガスを浄化するための触媒が担持されたものである前記［１］〜［６］のいずれかに記載の排ガス処理装置。
【００２１】
［８］  前記缶体は、その内壁面の少なくとも一部に、前記触媒担持ハニカム構造体の前記流出側端面から流出した排ガスの流れを調節するための突起部を有する前記［１］〜［７］のいずれかに記載の排ガス処理装置。
【発明の効果】
【００２２】
本発明の排ガス処理装置は、装置内部を早期に暖気することができ、ハニカム担体に酸化触媒が担持された触媒担持ハニカム構造体をエンジンの始動から短時間で、酸化触媒が有効に触媒機能を発揮する温度まで昇温することができる。
【００２３】
また、本発明の排ガス処理装置は、触媒担持ハニカム構造体やハニカムフィルタ等の浄化部材が缶体内に直線状に配置された従来の排ガス処理装置と比較して、省スペース化が可能である。このため、排ガス処理装置を、エンジン直下に搭載する場合であっても、搭載スペースを良好に確保することができる。
【図面の簡単な説明】
【００２４】
【図１Ａ】本発明の排ガス処理装置の一の実施形態を模式的に示す側面図である。
【図１Ｂ】図１Ａに示す排ガス処理装置を、触媒担持ハニカム構造体の流入側端面側から見た平面図である。
【図２】図１Ａに示す排ガス処理装置の断面を模式的に示す断面図である。
【図３】本実施形態の排ガス処理装置に用いられる触媒担持ハニカム構造体を模式的に示す斜視図である。
【図４】本実施形態の排ガス処理装置に用いられるハニカムフィルタを模式的に示す斜視図である。
【図５Ａ】本発明の排ガス処理装置の他の実施形態を模式的に示す側面図である。
【図５Ｂ】図５Ａに示す排ガス処理装置を、触媒担持ハニカム構造体の流入側端面側から見た平面図である。
【図６】図５Ａに示す排ガス処理装置の断面を模式的に示す断面図である。
【図７】図２に示す排ガス処理装置を拡大した拡大断面図である。
【図８Ａ】本発明の排ガス処理装置の更に他の実施形態を模式的に示す断面図である。
【図８Ｂ】本発明の排ガス処理装置の更に他の実施形態を模式的に示す断面図である。
【図９】本実施形態の排ガス処理装置に用いられるハニカムフィルタの他の例を模式的に示す斜視図である。
【図１０】本発明の排ガス処理装置の更に他の実施形態を模式的に示す断面図である。
【図１１】従来のハニカムフィルタの構成を模式的に示す断面図である。
【発明を実施するための形態】
【００２５】
以下、本発明の排ガス処理装置を実施するための形態について具体的に説明する。但し、本発明はその発明特定事項を備える排ガス処理装置を広く包含するものであり、以下の実施形態に限定されるものではない。
【００２６】
［１］本発明の排ガス処理装置：
ここで、図１Ａは、本発明の排ガス処理装置の一の実施形態を模式的に示す側面図であり、図１Ｂは、図１Ａに示す排ガス処理装置を、触媒担持ハニカム構造体の流入側端面側から見た平面図である。また、図２は、図１Ａに示す排ガス処理装置の断面を模式的に示す断面図である。なお、図２において、符号Ｇにて示す矢印は、排ガスが排ガス処理装置を通過する際の、排ガスの移動方向を示している。また、図３は、本実施形態の排ガス処理装置に用いられる触媒担持ハニカム構造体を模式的に示す斜視図であり、図４は、本実施形態の排ガス処理装置に用いられるハニカムフィルタを模式的に示す斜視図である。
【００２７】
本実施形態の排ガス処理装置は、図３に示すように、多孔質の隔壁１１によって排ガスの流路となる複数のセル１２が区画形成されたハニカム担体１３に酸化触媒が担持された触媒担持ハニカム構造体１０（以下、「ハニカム触媒体」ということがある）と、図４に示すように、多孔質の隔壁２１によって排ガスの流路となる複数のセル２２が区画形成されたフィルタ用ハニカム構造体２３を有し、複数のセル２２のうちの所定のセル２２ａの流入側の開口端部と残余のセル２２ｂの流出側の開口端部とが目封止部２５によって目封止されたハニカムフィルタ２０と、図１Ａ、図１Ｂ及び図２に示すように、上記触媒担持ハニカム構造体１０及びハニカムフィルタ２０を、その内部に保持し、排ガスの通路となる缶体３０と、を備えた排ガス処理装置１Ａである。
【００２８】
そして、本実施形態の排ガス処理装置１Ａは、触媒担持ハニカム構造体１０が缶体３０の上流側３１に配置され、且つ、ハニカムフィルタ２０が缶体３０の下流側３２に配置されてなるとともに、触媒担持ハニカム構造体１０とハニカムフィルタ２０とは、触媒担持ハニカム構造体１０の中心軸ａ１とハニカムフィルタ２０の中心軸ａ２とを含む平面（即ち、図２に示す断面）において、中心軸ａ１と中心軸ａ２とのなす角Ａが６０°〜１２０°（図１Ａ、図１Ｂ及び図２においては、なす角Ａが１２０°の場合を示している）となるように、ハニカムフィルタ２０に対して触媒担持ハニカム構造体１０が傾いた状態で、それぞれの外周面１８，２８の少なくとも一部が把持材３３によって覆われた状態で缶体３０内に保持されており、更に、触媒担持ハニカム構造体１０は、排ガスＧが流入する流入側端面１６から、触媒担持ハニカム構造体１０の長手方向（中心軸ａ１方向）の長さの５０〜８０％の長さ範囲の外周面１８ａが、把持材３３によって保持され、排ガスＧが流出する流出側端面１７から、上記長手方向の長さの２０〜５０％の長さ範囲の外周面１８ｂが排ガスに曝されるように構成されてなる排ガス処理装置１Ａである。
【００２９】
このように、本実施形態の排ガス処理装置１Ａは、触媒担持ハニカム構造体１０とハニカムフィルタ２０とが直線状に配置されておらず、上述したように中心軸ａ１と中心軸ａ２とのなす角Ａが６０°〜１２０°となるように配置されているため、触媒担持ハニカム構造体１０に流入した排ガスＧは、流出側端面１７から排出された後、缶体３０の内壁面に衝突し、そのガス流が乱されることとなる。そして、触媒担持ハニカム構造体１０は、その流出側端面１７から、上記長手方向の長さの２０〜５０％の長さ範囲の外周面１８ｂが排ガスに曝されるように構成されているため、流出側端面１７から排出された排ガスＧが、触媒担持ハニカム構造体１０の外周面１８ｂと缶体３０との隙間を通過し、触媒担持ハニカム構造体１０を外周面１８ｂ側から暖めることができ、排ガス処理装置１Ａ内部を、酸化触媒が活性化する温度まで早期に暖気することが可能となる。
【００３０】
なお、本実施形態の排ガス処理装置１Ａにおいて、触媒担持ハニカム構造体１０の流出側端面１７は、ハニカムフィルタ２０の流入側端面における、中心軸方向の延長上に位置するように配置されていることが好ましい。このように構成することによって、触媒担持ハニカム構造体１０の暖気効果を高め、且つ圧力損失の過度の上昇を抑制することができる。また、このような場合には、触媒担持ハニカム構造体１０の流出側端面１７側から流出した排ガスが衝突する缶体３０の壁面が、この流出側端面１７と平行になるように配置されていることが好ましい。なお、後述するように、触媒担持ハニカム構造体の流出側端面が、中心軸に対して斜めに切り欠かれた構成の場合には、切り欠かれた部分が補填された柱状のハニカム構造体を想定し、その流出側の端面と平行（即ち、流入側の端面と平行）となるように、缶体の壁面が配置されていてもよい。
【００３１】
また、本実施形態の排ガス処理装置１Ａは、触媒担持ハニカム構造体１０とハニカムフィルタ２０とが直線状に配置されておらず、６０°〜１２０°傾いた状態で配置されているため、従来の缶体の内部に一直線状に排ガス浄化部材（例えば、触媒担持ハニカム構造体やハニカムフィルタ）が配置された排ガス処理装置と比較して、装置の一方向の長さ（特に、装置の搭載スペースの制限を受け易い長手方向の長さ）を短くし、省スペース化を実現することができる。
【００３２】
なお、図１Ａ、図１Ｂ及び図２においては、触媒担持ハニカム構造体１０とハニカムフィルタ２０とが１２０°傾いた状態で配置された場合の例を示しているが、６０°〜１２０°の角度範囲内であればよく、例えば、図５Ａ、図５Ｂ及び図６に示す排ガス処理装置１Ｂのように、中心軸ａ１と中心軸ａ２とのなす角Ａが６０°となるように、缶体３０の内部に、触媒担持ハニカム構造体１０とハニカムフィルタ２０とが配置されていてもよいし、例えば、図示は省略するが、中心軸ａ１と中心軸ａ２とのなす角Ａが９０°となるように、缶体の内部に、触媒担持ハニカム構造体とハニカムフィルタとが配置されていてもよい。なお、触媒担持ハニカム構造体とハニカムフィルタとが直線状に配置されている場合（即ち、従来の排ガス処理装置における配置の場合）には、上記した中心軸ａ１と中心軸ａ２とのなす角Ａは０°となる。
【００３３】
ここで、図５Ａは、本発明の排ガス処理装置の他の実施形態を模式的に示す側面図であり、図５Ｂは、図５Ａに示す排ガス処理装置を、触媒担持ハニカム構造体の流入側端面側から見た平面図である。また、図６は、図５Ａに示す排ガス処理装置の断面を模式的に示す断面図である。なお、図６に示す断面は、触媒担持ハニカム構造体１０の中心軸ａ１とハニカムフィルタ２０の中心軸ａ２とを含む平面で切断した断面である。なお、図５Ａ、図５Ｂ及び図６に示す排ガス処理装置において、図１Ａ、図１Ｂ及び図２に示す排ガス処理装置の各要素と同様に構成されているものについては、同一の符号を付して説明を省略する。
【００３４】
なお、中心軸ａ１と中心軸ａ２とのなす角Ａが１２０°を超えると、触媒担持ハニカム構造体とハニカムフィルタとの流路の交差角度が急になり過ぎて、圧力損失の上昇が大きくなり過ぎてしまう。一方、中心軸ａ１と中心軸ａ２とのなす角Ａが６０°未満では、ガス流の乱れ（不均一さ）が小さく、触媒担持ハニカム構造体の外周面側への戻りが少なくなり、暖気効果を十分に得ることができない。
【００３５】
なお、本実施形態の排ガス処理装置においては、触媒担持ハニカム構造体とハニカムフィルタとは、上記したように、中心軸ａ１と中心軸ａ２とを含む平面において、中心軸ａ１と中心軸ａ２とのなす角Ａが６０°〜１２０°となるように構成されたものであるが、９０°〜１１０°となるように構成されたものであることが好ましい。このように構成することによって、良好な暖気効果を得ることができる。
【００３６】
また、本実施形態の排ガス処理装置においては、図７に示すように、触媒担持ハニカム構造体１０の流出側端面１７から、長手方向の長さＬ１の２０〜５０％の長さ範囲の外周面１８ｂが排ガスに曝されるように構成されていることも、上記暖気効果を得るために重要である。即ち、単に、触媒担持ハニカム構造体とハニカムフィルタとの外周面が把持材によって完全に覆われてしまう状態では、仮に、触媒担持ハニカム構造体とハニカムフィルタとが傾くように配置したとしても、把持材により担体（触媒担持ハニカム構造体）が完全に覆われているため、外周面からの暖気効果を得ることができない。よって、触媒担持ハニカム構造体の流出側端面から所定の範囲が、把持材によって保持されることなく、缶体内部にて排ガスに曝されるように配置されることにより、上記暖気効果が発現するのである。ここで、図７は、図２に示す排ガス処理装置を拡大した拡大断面図である。
【００３７】
なお、触媒担持ハニカム構造体の排ガスに曝されるように構成された部位の長さが、長手方向の長さの２０％未満であると、把持材による断熱効果により、外周面側からの暖気を十分に行うことができない。一方、５０％を越えてしまうと、把持材によって触媒担持ハニカム構造体を把持し評価を行う際に、振動により担体がずれてしまうことがあり触媒担持ハニカム構造体を保持することが困難となる。
【００３８】
このように、本実施形態の排ガス処理装置においては、触媒担持ハニカム構造体の流出側端面から、長手方向の長さの２０〜５０％の長さ範囲の外周面が排ガスに曝されるように（即ち、５０〜８０％の長さ範囲の外周面が把持材によって保持されるように）構成されており、長手方向の長さの５０％の長さ範囲の外周面が排ガスに曝されるように（即ち、５０％の長さ範囲の外周面が把持材によって保持されるように）構成されていることが好ましい。このように構成することによって、触媒担持ハニカム構造体を缶体内部に良好に保持しつつ、缶体の内壁に衝突した排ガスの戻りによって、外周面側からの暖気を有効に行うことができる。
【００３９】
以下、本実施形態の排ガス処理装置の各構成要素について、更に具体的に説明する。
【００４０】
［１−１］触媒担持ハニカム構造体：
本実施形態の排ガス処理装置に用いられる触媒担持ハニカム構造体は、図１Ａ〜図３に示すように、多孔質の隔壁１１によって排ガスの流路となる複数のセル１２が区画形成されたハニカム担体１３に酸化触媒が担持されたものである。
【００４１】
例えば、上記したハニカム担体は、従来の排ガス処理装置のディーゼル酸化触媒（ＤＯＣ）の触媒担体として用いられるものと同様に構成されたものを用いることができる。但し、本実施形態の排ガス処理装置においては、ハニカムフィルタに対して触媒担持ハニカム構造体が傾いた状態で缶体内部に保持されるものであり、且つ、この触媒担持ハニカム構造体の流出側端面から２０〜５０％の長さ範囲においては、把持材によって保持されず、缶体の内部にて排ガスに曝されるように構成されている。
【００４２】
また、本実施形態の排ガス処理装置に用いられる触媒担持ハニカム構造体は、図８Ａ及び図８Ｂのそれぞれに示すように、触媒担持ハニカム構造体１０の流出側端面１７が、触媒担持ハニカム構造体１０の中心軸ａ１に対して傾斜するような形状に構成されたものであってもよい。ここで、図８Ａ及び図８Ｂは、本発明の排ガス処理装置の更に他の実施形態を模式的に示す断面図である。なお、図８Ａ及び図８Ｂに示す断面は、触媒担持ハニカム構造体１０の中心軸ａ１とハニカムフィルタ２０の中心軸ａ２とを含む平面で切断した断面である。なお、図８Ａ及び図８Ｂに示すそれぞれの排ガス処理装置１Ｃ，１Ｄにおいて、図２に示す排ガス処理装置の各要素と同様に構成されているものについては、同一の符号を付して説明を省略する。なお、図８Ａは、中心軸ａ１と中心軸ａ２とのなす角Ａが１２０°の場合を示し、図８Ｂは、中心軸ａ１と中心軸ａ２とのなす角Ａが６０°の場合を示している。
【００４３】
即ち、図８Ａ及び図８Ｂにおいては、触媒担持ハニカム構造体１０の流出側端面１７が、中心軸ａ１に対して斜めに切り欠かれた構成となっており、触媒担持ハニカム構造体１０の流出側端面１７の垂線が、触媒担持ハニカム構造体１０の中心軸ａ１よりも、ハニカムフィルタ２０が配置された側に傾くように配置されている。このように構成することによって、ハニカムフィルタ２０の流入側の端面側に生じる圧力損失を軽減することができるとともに、触媒担持ハニカム構造体１０の外周面１８ｂの一部（図８にＡ及び図８Ｂおける紙面上側）においては、ガス流れの乱れた排ガスＧによって、触媒担持ハニカム構造体１０を良好に暖気することができる。なお、図８Ａ及び図８Ｂに示す、流出側端面１７が斜めに切り欠かれた触媒担持ハニカム構造体１０は、その流出側端面１７が切り欠かれた構成となる以外は、図１Ａ〜図２に示す触媒担持ハニカム構造体１０と同様に構成されたものである。
【００４４】
なお、流出側端面が斜めに切り欠かれた触媒担持ハニカム構造体は、その流出側端面の傾斜する部分の長手方向の長さが、触媒担持ハニカム構造体の長手方向の長さＬ１の１０〜５０％の長さに相当するものであることが好ましい。このように構成することによって、圧力損失を軽減する効果と、触媒担持ハニカム構造体を暖気する効果とをバランスよく発現させることができる。また、触媒担持ハニカム構造体を通過したガスがハニカムフィルタに流入する際に、ガスが均一に流れるため、ハニカムフィルタのスス堆積限界を向上させることが可能である。例えば、流出側端面の傾斜する部分の長手方向の長さが、触媒担持ハニカム構造体の長手方向の長さＬ１の５０％を超えると、触媒担持ハニカム構造体の体積が減少してしまい、触媒担持ハニカム構造体の触媒機能が十分に発揮されないことがある。
【００４５】
触媒担持ハニカム構造体（換言すれば、ハニカム担体）の全体形状については特に制限はなく、例えば、図１Ａ、図１Ｂ及び図２に示されるような円筒状の他、四角柱状、三角柱状等の形状を挙げることができる。
【００４６】
また、ハニカム担体に形成されたセルの形状（セルの形成方向に対して垂直な断面におけるセル形状）としては、例えば、四角形セル、六角形セル、三角形セル等の形状を挙げることができる。但し、このような形状に限られるものではなく、公知のセルの形状を広く包含することができる。より好ましいセル形状としては、円形セル又は四角形以上の多角形セルを挙げることができる。このような円形セル又は四角形以上の多角形セルがより好ましいのは、セル断面において、セルを区画するコーナー部分の触媒の厚付きを軽減し、隔壁に触媒を担持する際の厚さを均一にできるからである。とりわけ、セル密度、開口率等を考慮すると、六角形セルが好適である。
【００４７】
ハニカム担体のセル密度も特に制限はないが、４７〜１４０セル／ｃｍ２（３００〜９００セル／平方インチ）の範囲であることが好ましく、４７〜９３セル／ｃｍ２（３００〜６００セル／平方インチ）の範囲であることが更に好ましい。また、隔壁の厚さは、０．０５〜０．２０ｍｍの範囲であることが好ましく、０．０６〜０．１３ｍｍの範囲であることが更に好ましい。
【００４８】
ハニカム担体の材質については特に制限はないが、セラミックを好適に用いることができ、強度、耐熱性、耐食性等の観点から、コージェライト、炭化珪素、アルミナ、ムライト、又は窒化珪素のうちのいずれかであることが好ましい。
【００４９】
隔壁の平均細孔径としては、２〜４０μｍであることが好ましい。また、隔壁の気孔率は、１０〜４０％であることが好ましく、２０〜３５％であることが更に好ましい。なお、本明細書において、「平均細孔径」、「気孔率」というときには、水銀圧入法により測定した平均細孔径、気孔率を意味するものとする。
【００５０】
また、ハニカム担体は、隔壁が一体的に形成された一体型のハニカム担体に限定されることはなく、例えば、図示は省略するが、多孔質の隔壁を有し、隔壁によって流体の流路となる複数のセルが区画形成された柱状のハニカムセグメントが、接合材層を介して複数個組み合わされた構造を有するハニカム担体（以下、「接合型ハニカム担体」ということがある）であってもよい。
【００５１】
ハニカム担体に担持される酸化触媒としては、例えば、白金（Ｐｔ）、パラジウム（Ｐｄ）、ロジウム（Ｒｈ）等の貴金属を好適例として挙げることができる。なお、上記した酸化触媒の他に、他の触媒や浄化材が、更に担持されていてもよい。例えば、アルカリ金属等が更に担持されていてもよい。
【００５２】
触媒の担持量については、例えば、１００〜３００ｇ／Ｌであることが好ましく、酸化触媒の場合には約１５０ｇ／Ｌであることが更に好ましい。なお、本明細書における、触媒の担持量（ｇ／Ｌ）は、ハニカム構造体単位容積（Ｌ）当たりに担持される触媒の量（ｇ）を示す。
【００５３】
酸化触媒のハニカム担体への担持方法については特に制限はないが、例えば、ハニカム担体の隔壁に対して、触媒成分を含む触媒液をウォッシュコートした後、高温で熱処理して焼き付ける方法等が挙げられる。また、例えば、ディッピング法等の従来公知のセラミック膜形成方法を利用して、セラミックスラリーをハニカム担体の隔壁に付着させ、乾燥、焼成する方法等によって酸化触媒を担持することもできる。
【００５４】
また、図１Ａ、図１Ｂ、図２及び図７に示すように、触媒担持ハニカム構造体１０は、触媒担持ハニカム構造体１０の流出側端面１７側の外周面１８ｂと、缶体３０の内面との間に、触媒担持ハニカム構造体１０の長手方向に垂直な断面の直径Ｄ１に対して、０．１〜０．３倍の長さに相当する隙間Ｐ１が設けられるように、缶体３０内に保持されていることが好ましい。このように構成することによって、触媒担持ハニカム構造体１０の流出側端面１７側から排出された排ガスＧが、触媒担持ハニカム構造体１０の外周面１８ｂと缶体３０の内面との隙間（隙間Ｐ１）に流入し、触媒担持ハニカム構造体１０を外周面１８ｂ側から良好に暖気することができる。なお、上記隙間Ｐ１が、直径Ｄ１に対して０．１倍未満では、隙間Ｐ１が狭すぎて排ガスＧの通気が良好に行われず、圧力損失が増大してしまうことがある。一方、直径Ｄ１に対して０．３倍を超えると、隙間Ｐ１が広すぎて、流出側端面１７側から排出された直後の高温のガスが拡散してしまい、暖気効果が低下してしまうことがある。また、スペース制約がある上での設置においても好ましくない。
【００５５】
なお、上記した「触媒担持ハニカム構造体の長手方向に垂直な断面の直径Ｄ１」は、触媒担持ハニカム構造体の断面形状が円形の円筒状の場合には、その断面の直径であるが、例えば、触媒担持ハニカム構造体が、四角柱状の多角形形状の場合には、その断面における中心軸ａ１を通過する対角線のうち、最も長さの長い対角線を、上記「直径Ｄ１」とする。
【００５６】
なお、触媒担持ハニカム構造体１０の流出側端面１７側の外周面１８ｂと、缶体３０の内面との隙間Ｐ１は、触媒担持ハニカム構造体１０の長手方向に垂直な断面の直径Ｄ１に対して、０．１〜０．３倍の長さに相当するものであることが好ましく、０．２倍の長さに相当するものであることが更に好ましい。このように構成することによって、触媒担持ハニカム構造体の暖気効果を良好に発現させることができる。
【００５７】
また、図１Ａ、図１Ｂ、図２及び図７に示すように、触媒担持ハニカム構造体１０は、触媒担持ハニカム構造体１０の流出側端面１７と、缶体３０の内面との間に、触媒担持ハニカム構造体１０の長手方向の長さＬ１に対して、０．１５〜０．３５倍の長さに相当する隙間Ｐ２が設けられるように、缶体３０内に保持されていることが好ましい。このように構成することによって、触媒担持ハニカム構造体１０の流出側端面１７から排出した排ガスＧを、缶体３０の内面に衝突させて、排ガスＧを触媒担持ハニカム構造体１０の外周面１８ｂ側に戻すことができる。例えば、触媒担持ハニカム構造体１０の流出側端面１７と、缶体３０の内面との隙間Ｐ２が、長さＬ１に対して０．１倍未満では、触媒担持ハニカム構造体１０の流出側端面１７からの排ガスの排出が十分に行われず、圧力損失が増大してしまうことがある。一方、長さＬ１に対して０．３５倍を超えると、触媒担持ハニカム構造体１０の流出側端面１７の空間（即ち、隙間Ｐ２）が広すぎて、排ガスに背圧が生じず、ハニカムフィルタの流入側端面に排ガスが大量に流れてしまい、触媒担持ハニカム構造体１０の暖気効果が低下してしまうことがある。このため、触媒担持ハニカム構造体１０の流出側端面１７と、缶体３０の内面との隙間Ｐ２を上記範囲として、触媒担持ハニカム構造体１０の流出側端面１７から排出された排ガスＧに対して、ある程度の背圧を生じさせ、この背圧により、触媒担持ハニカム構造体１０の外周面１８ｂ側に、適当な量の排出された排ガスＧを戻すことが可能となる。
【００５８】
なお、触媒担持ハニカム構造体１０の流出側端面１７と、缶体３０の内面との隙間Ｐ２は、触媒担持ハニカム構造体１０の長手方向の長さＬ１に対して、０．１５〜０．３５倍の長さに相当するものであることが好ましく、０．２〜０．２５倍の長さに相当するものであることが更に好ましい。このように構成することによって、触媒担持ハニカム構造体の暖気効果を良好に発現させることができる。なお、図７においては、中心軸ａ１と中心軸ａ２とのなす角Ａが１２０°の場合の例を示しているが、上述した隙間Ｐ１及び隙間Ｐ２の数値範囲は、前記なす角Ａが６０°〜１２０°の範囲で異なった場合でも有効である。
【００５９】
［１−２］ハニカムフィルタ：
本実施形態の排ガス処理装置に用いられるハニカムフィルタは、図１Ａ〜図２、及び図４に示すように、多孔質の隔壁２１によって排ガスの流路となる複数のセル２２が区画形成されたフィルタ用ハニカム構造体２３を有し、フィルタ用ハニカム構造体２３に形成された複数のセル２２のうちの所定のセル２２ａの流入側の開口端部と残余のセル２２ｂの流出側の開口端部とが目封止部２５によって目封止されたハニカムフィルタ２０である。このようなハニカムフィルタは、従来公知の排ガス処理装置において、ディーゼルパティキュレートフィルタ（ＤＰＦ）として用いられるフィルタを好適に用いることができる。
【００６０】
このハニカムフィルタ２０は、その外周面２８の全面が、把持材３３によって保持されて缶体３０の内部に配置されている。ハニカムフィルタ２０は、流入側の開口端部が開口した上記残余のセル２２ｂから排ガスＧが流入し、多孔質の隔壁２１を通過して流出側の開口端部が開口した上記所定のセル２２ａより排ガスが排出される。そして、上述した排ガスが隔壁２１を通過する際に、排ガスＧ中のパティキュレートが隔壁２１に捕集され、排ガスが浄化される。
【００６１】
ハニカムフィルタの全体形状については特に制限はなく、例えば、図１Ａ〜図２、及び図４に示されるような円筒状の他、四角柱状、三角柱状等の形状を挙げることができる。
【００６２】
また、ハニカムフィルタに形成されたセルの形状（セルの形成方向に対して垂直な断面におけるセル形状）としては、例えば、四角形セル、六角形セル、三角形セル等の形状を挙げることができる。但し、このような形状に限られるものではなく、公知のセルの形状を広く包含することができる。より好ましいセル形状としては、円形セル又は四角形以上の多角形セルを挙げることができる。このような円形セル又は四角形以上の多角形セルがより好ましいのは、セル断面において、セルを区画するコーナー部分の触媒の厚付きを軽減し、隔壁に触媒を担持する際の厚さを均一にできるからである。とりわけ、セル密度、開口率等を考慮すると、六角形セルが好適である。
【００６３】
ハニカムフィルタを構成するフィルタ用ハニカム構造体のセル密度も特に制限はないが、１５〜４７セル／ｃｍ２（１００〜３００セル／平方インチ）の範囲であることが好ましく、３１〜４７セル／ｃｍ２（２００〜３００セル／平方インチ）の範囲であることが更に好ましい。また、隔壁の厚さは、０．２５〜０．６４ｍｍの範囲であることが好ましく、０．２５〜０．４３ｍｍの範囲であることが好ましい。
【００６４】
フィルタ用ハニカム構造体の材質については特に制限はないが、セラミックを好適に用いることができ、強度、耐熱性、耐食性等の観点から、コージェライト、炭化珪素、アルミナ、ムライト、又は窒化珪素のうちのいずれかであることが好ましい。
【００６５】
隔壁の平均細孔径としては、５〜４０μｍであることが好ましく、１０〜３０μｍであることが更に好ましい。また、隔壁の気孔率は、２０％以上であることが好ましく、４０％以上７０％以下であることが更に好ましい。
【００６６】
また、フィルタ用ハニカム構造体は、例えば、図４に示すように、多孔質の隔壁を有し、隔壁２１によって流体の流路となる複数のセル２２が区画形成された柱状のハニカムセグメント２４が、接合材層２９を介して複数個組み合わされた構造を有するハニカム構造体（以下、「接合型ハニカム構造体」ということがある）であってもよいし、図９に示すように、隔壁２１が一体的に形成された一体型のハニカム構造体であってもよい。ここで、図９は、本実施形態の排ガス処理装置に用いられるハニカムフィルタの他の例を模式的に示す斜視図である。なお、図９に示すハニカムフィルタにおいて、図４に示すハニカムフィルタの各要素と同様に構成されているものについては、同一の符号を付して説明を省略する。
【００６７】
セルの開口部を目封止するように配置された目封止部は、公知のハニカムフィルタにおいて用いられる目封止部と同様に構成されたものを用いることができる。例えば、目封止部は、フィルタ用ハニカム構造体と同様の材質のものを用いて形成されたものであってもよいし、異なる材質のものを用いて形成されたものであってもよい。
【００６８】
なお、目封止部を形成するための目封止材は、セラミック原料、界面活性剤、水、焼結助剤等を混合して、必要に応じて気孔率を高めるために造孔材を添加してスラリー状にし、その後、ミキサー等を使用して混練することにより得ることができる。
【００６９】
フィルタ用ハニカム構造体のセルの開口端部を目封止して目封止部を形成する方法としては、まず、例えば、従来公知の製造方法によって作製したフィルタ用ハニカム構造体の一方の端面（ハニカム構造体の一方の端面）において、一部のセルの開口部にマスクをし、その端面を、目封止材を形成するための上記目封止材が貯留された貯留容器中に浸漬して、マスクをしていないセルに目封止材を挿入し、目封止部を形成する。
【００７０】
その後、フィルタ用ハニカム構造体の他方の端面において、上記一方の端面においてマスクをしなかったセル（上記一部のセル以外のセル）の開口部にマスクをし、その端面を、上記目封止材が貯留された貯留容器中に浸漬して、マスクをしていないセルに目封止材を挿入し、目封止部を形成する。
【００７１】
セルの開口部をマスクする方法について特に制限はないが、例えば、フィルタ用ハニカム構造体の端面全体に粘着性フィルムを貼着し、その粘着性フィルムを部分的に穴開けする方法等を挙げることができる。例えば、フィルタ用ハニカム構造体の端面全体に粘着性フィルムを貼着した後に、目封止部を形成したいセルに相当する部分のみをレーザにより穴を開ける方法等を好適例として挙げることができる。粘着性フィルムとしては、ポリエステル、ポリエチレン、熱硬化性樹脂等の樹脂からなるフィルムの一方の表面に粘着剤が塗布されたもの等を好適に用いることができる。
【００７２】
次に、目封止されたフィルタ用ハニカム構造体を、例えば、４０〜２５０℃で、２分〜２時間かけて乾燥させることによって目封止部を形成することができる。
【００７３】
なお、セルの開口部を封止する目封止部は、一のセルと、この一のセルに隔壁を隔てて隣接するセルとが、一方の開口端部と他方の開口端部とで交互に目封止されるように配置されたものであってもよいし（例えば、図４参照）、例えば、図示は省略するが、目封止されているセルが複数集合するように、上記一のセルと他のセルとが偏在するように構成されていてもよい。
【００７４】
また、本実施形態の排ガス処理装置に用いられるハニカムフィルタは、例えば、排ガス（排ガス中の有害成分）を浄化するための触媒が担持されたものであってもよい。触媒の種類については、例えば、酸化触媒、ＮＯｘ吸蔵還元触媒（ＮＳＣ）、ＮＯｘ選択還元触媒（ＳＣＲ）等の公知の排ガス浄化用のフィルタに担持される触媒を挙げることができる。上述した触媒は、例えば、排ガス処理装置の要求特性に合わせて適宜選択して使用することができる。
【００７５】
［１−３］缶体：
本実施形態の排ガス処理装置は、排ガス浄化部材としての、触媒担持ハニカム構造体とハニカムフィルタとが、金属製の缶体の内部に、それぞれの外周面の少なくとも一部が把持材によって覆われた状態で保持されている。
【００７６】
そして、この缶体は、これまでに説明したようにハニカムフィルタと触媒担持ハニカム構造体との中心軸が傾いた状態で配置されるように、缶体を構成する流路が、例えば、くの字状に折れ曲がった形状に構成されている。
【００７７】
缶体は、例えば、ステンレスによって構成されたものであることが好ましく、特に、クロム系、クロム・ニッケル系ステンレスによって構成されたものを好適に用いることができる。
【００７８】
また、触媒担持ハニカム構造体とハニカムフィルタとを把持するための把持材は、例えば、セラミック繊維製マットを用いることができる。上記したセラミック繊維製マットは、その入手や加工が容易であるとともに、十分な耐熱性及びクッション性を有するためである。セラミック繊維製マットとしては、バーミュキュライトを実質上含まない無膨張性マット、又は少量のバーミュキュライトを含む低膨張性マット等であり、アルミナ、高アルミナ、ムライト、炭化珪素、窒化珪素、ジルコニア、チタニア又はこれらの複合物からなるセラミック繊維を主成分とするものが好ましく、中でもバーミュキュライトを実質上含まずアルミナ又はムライトを主成分とする無膨張性マットが更に好ましい。
【００７９】
触媒担持ハニカム構造体を缶体の内部に保持する方法としては、触媒担持ハニカム構造体の流入側端面よりの外周面を把持材によって覆い、缶体の内部の所定位置に配置した後、触媒担持ハニカム構造体の流入側端部と缶体の内面とを溶接（Ｗｅｌｄｉｎｇ）する方法を挙げることができる。より具体的には、溶接部は触媒担持ハニカム構造体の流入側端部の外径部分の一箇所だけであり、それ以外の部分は把持材の面圧により担体を保持している。
【００８０】
また、例えば、図１０に示すように、本実施形態の排ガス処理装置１Ｅに用いられる缶体３０ａは、その内壁面の少なくとも一部に、触媒担持ハニカム構造体１０の流出側端面１７から流出した排ガスの流れを調節するための突起部３４を有するものであってもよい。この突起部３４は、触媒担持ハニカム構造体１０の流出側端面１７から流出した排ガスを誘導して、触媒担持ハニカム構造体１０を排ガスによって良好に暖めるためのものであり、突起部３４の表面形状に沿って、排ガスを触媒担持ハニカム構造体１０の外周面１８ｂ側（即ち、缶体３０ａと触媒担持ハニカム構造体１０の外周面１８ｂとの隙間）に戻すことができるような形状に構成されていることが好ましい。
【００８１】
なお、図１０においては、缶体３０ａの内壁面の、触媒担持ハニカム構造体１０の流出側端面１７の中央部分に対向する位置に、その先端が上記流出側端面１７を向き、末端（根元側）が広がった形状の突起部３４を有する場合の例について示しているが、突起部の形状については、排ガスに偏流を起こさせて、ガス流れを変更させるようなものであればよく、例えば、排ガスの流れ方向に対して、所定の角度傾いた状態で配置された板状の偏流板等も、上記突起部の一つの形態として挙げることができる。ここで、図１０は、本発明の排ガス処理装置の更に他の実施形態を模式的に示す断面図である。
【実施例】
【００８２】
以下、本発明を実施例により具     体的に説明するが、本発明はこれらの実施例に限定されるものではない。実施例における各種の評価、測定は、下記方法により実施した。
【００８３】
［１］触媒担持ハニカム構造体とハニカムフィルタとのなす角度（°）：
触媒担持ハニカム構造体（ハニカム触媒体ともいう）とハニカムフィルタとを缶体の内部に保持した状態における、触媒担持ハニカム構造体の中心軸ａ１とハニカムフィルタの中心軸ａ２とを含む平面において、中心軸ａ１と中心軸ａ２とのなす角を、「触媒担持ハニカム構造体とハニカムフィルタとのなす角度」とした。なお、表１においては、「ハニカム触媒体とハニカムフィルタとのなす角度」と記載している。
【００８４】
［２］触媒担持ハニカム構造体の体積（Ｌ）：
触媒担持ハニカム構造体の細孔部分を含めた体積を、「触媒担持ハニカム構造体の体積」とした。なお、触媒担持ハニカム構造体の流出側端面が斜めに切り欠かれたものについは、切り欠かれた部分を除いた触媒担持ハニカム構造体の体積である。なお、表１においては、「ハニカム触媒体の体積」と記載している。
【００８５】
［３］触媒担持ハニカム構造体における把持材の割合（％）：
触媒担持ハニカム構造体の長手方向（中心軸ａ１方向）の長さＬ１に対する、流入側端面から把持材によって覆われた部分の長さＬ２の割合（Ｌ２／Ｌ１×１００）を、「触媒担持ハニカム構造体における把持材の割合（％）」とした。なお、触媒担持ハニカム構造体の流出側端面が斜めに切り欠かれたものについは、触媒担持ハニカム構造体の流入側端面から流出側端面までの全長を、長手方向の長さとした。なお、表１においては、「ハニカム触媒体における把持材の割合」と記載している。
【００８６】
［４］触媒担持ハニカム構造体の直径と隙間との割合：
触媒担持ハニカム構造体を缶体の内部に保持した状態における、触媒担持ハニカム構造体の長手方向に垂直な断面の直径Ｄ１に対する、触媒担持ハニカム構造体の流出側端面側の外周面と、缶体の内面との隙間Ｐ１との割合（Ｐ１／Ｄ１）を、「触媒担持ハニカム構造体の直径と隙間との割合」とした。なお、表１においては、「ハニカム触媒体の直径と隙間との割合」と記載している。
【００８７】
［５］触媒担持ハニカム構造体の長さと隙間との割合：
触媒担持ハニカム構造体を缶体の内部に保持した状態における、触媒担持ハニカム構造体の長手方向の長さＬ１に対する、触媒担持ハニカム構造体の流出側端面側と、缶体の内面との隙間Ｐ２との割合（Ｐ２／Ｌ１）を、「触媒担持ハニカム構造体の長さと隙間との割合」とした。なお、表１においては、「ハニカム触媒体の長さと隙間との割合」と記載している。
【００８８】
［６］触媒担持ハニカム構造体の流出側端面の切り欠きの割合（％）：
触媒担持ハニカム構造体の長手方向の長さＬ１に対する、流出側端面の切り欠き部分の長さＬ４の割合（Ｌ４／Ｌ１×１００）を、「触媒担持ハニカム構造体の流出側端面の切り欠きの割合」とした。なお、表１においては、「ハニカム触媒体の流出側端面の切り欠きの割合」と記載している。
【００８９】
［７］缶体内への設置評価：
触媒担持ハニカム構造体を、セラミック繊維性のマットにより、ステンレス製の缶体に把持した後、熱振動試験を実施し、缶体に対する担体の全長方向のズレの大きさにより設置の可否を以下の基準で評価した。振動試験の振動条件は、加速度３０Ｇ、振動数１００Ｈｚとし、振動時間を１００時間とした。
○：触媒担持ハニカム構造体の全長方向へのズレが１ｍｍ以内である。
×：触媒担持ハニカム構造体の全長方向へのズレが１ｍｍを超える。
【００９０】
［８］暖気特性：
装置内部の温度が室温（２５℃）に設定された排ガス処理装置に、１Ｎｍ３／ｍｉｎ、６００℃で排ガスを通気し、触媒担持ハニカム構造体の中心部分の温度が、５００℃に昇温されるまでの時間（秒）を測定した。また、この暖気特性の評価として、３２秒以下の場合を非常に良好（◎）、３２秒を超え３８秒以下の場合をより良好（○）、３８秒を超え４４秒以下の場合を良好（△）、４４秒を超え４９秒以下の場合を向上効果なし（×）とした。
【００９１】
［９］ＰＭ堆積限界量（ｇ／Ｌ）：
排ガス処理装置のハニカムフィルタに、ＰＭ（煤）を堆積させ、フィルタの再生時におけるＰＭの堆積量（ｇ／Ｌ）を、そのフィルタのＰＭ堆積限界量（ｇ／Ｌ）とした。なお、測定においては、６気筒６Ｌディーゼルエンジンを用い、フィルタの再生方式は、ポストインジェクションとし、再生条件は、６００℃再生からアイドル回転を落としていくものとした。また、このＰＭ堆積限界量の評価として、５．９ｇ／Ｌを超える場合をより良好（○）、５．６〜５．９ｇ／Ｌの場合を良好（△）、５．６ｇ／Ｌ未満の場合を限界量減少（×）とした。
【００９２】
［１０］圧力損失：
排ガス処理装置の圧力損失の大きさを、排ガス処理装置として使用可能な圧力損失の場合を（○）、やや圧力損失が大きいが使用可能な場合を（△）、排ガス処理装置として使用が困難な場合を（×）として評価を行った。
【００９３】
［１１］総合評価：
総合評価として、暖気特性（秒）及び暖気特性の評価結果と、排ガス処理装置の圧力損失の大きさ、及びハニカム触媒体の触媒性能（特に、ハニカム触媒体の体積に依存する触媒性能）を考慮して、非常に良好（◎）、良好（○）、やや良好（△）、不良（×）の四段階で評価した。なお、上述した暖気特性及び圧力損失の評価において、一つでも「×」がある場合は、総合評価を不可（×）とし、それ以外の場合は、各評価結果を考慮（即ち、各評価における◎，○，△の割合を考慮）して、非常に良好（◎）、良好（○）、及びやや良好（△）の評価を行った。具体的には、やや良好（△）の結果が二つ以上ある場合は、総合評価をやや良好（△）とし、非常に良好（◎）と良好（○）が二つの組み合わせの場合は、総合評価を非常に良好（◎）とし、それ以外の場合は、総合評価を、良好（○）とした。
【００９４】
（実施例１）
触媒担持ハニカム構造体のハニカム担体は、原料として、タルク、カオリン、アルミナ、水、バインダーを用い、この原料を混練して得られた坏土を押出成形し、得られた成形体を焼成することによって、コージェライト質ハニカム担体を作製した。
【００９５】
このハニカム担体は、直径１１８ｍｍ×１００ｍｍの円柱状で、隔壁厚さが０．１ｍｍ、セル密度が６２セル／ｃｍ２である。
【００９６】
このハニカム担体に、白金（Ｐｔ）を含む触媒液に含浸させ、乾燥させて触媒体とした。酸化触媒の担持量は、１５０ｇ／Ｌである。
【００９７】
また、ハニカムフィルタを構成するフィルタ用ハニカム構造体は、原料として、ＳｉＣ粉８０質量％及び金属Ｓｉ粉２０質量％の混合粉末を使用し、これにメチルセルロース、ヒドロキシプロポキシルメチルセルロース、界面活性剤及び水を添加して、可塑性の坏土を作製し、得られた坏土を押出成形機にて押出成形してハニカム成形体を作製した。次に、マイクロ波及び熱風で乾燥させた後、酸化雰囲気において５５０℃で３時間、脱脂のための仮焼をした。更に、Ａｒ不活性雰囲気で１７００℃の焼成温度にて２時間焼成してフィルタ用ハニカム構造体を作製した。
【００９８】
このフィルタ用ハニカム構造体は、直径１４３．８ｍｍ×１５２．４ｍｍの円柱状で、隔壁厚さが０．３０ｍｍ、セル密度が４７セル／ｃｍ２である。
【００９９】
このようにして得られたフィルタ用ハニカム構造体のセルの開口部を、流入側の開口端部と流出側の開口端部とで交互に目封止を行い、ハニカムフィルタを作製した。目封止部を形成する材料としては、ハニカムフィルタの隔壁を構成する材料と同じものを用いた。
【０１００】
以上のようにして形成された触媒担持ハニカム構造体とハニカムフィルタとを、クロム系ステンレス製の缶体の内部に、表１に示すような構成となるように、セラミック繊維製の把持材を用いて配置して、排ガス浄化装置を作製した。得られた排ガス処理装置について、上記した缶体内への設置評価、暖気特性、ＰＭ堆積限界量、及び総合評価の評価を行った。評価結果を表１に示す。
【０１０１】
【表１】
2011117409.tif 000003
【０１０２】
（実施例２〜３７）
触媒担持ハニカム構造体を、表１に示すように缶体の内部に設置したこと以外は、実施例１と同様に構成された排ガス処理装置を作製した。得られた排ガス処理装置について、上記した缶体内への設置評価、暖気特性、ＰＭ堆積限界量、及び総合評価の評価を行った。評価結果を表１に示す。
【０１０３】
（比較例１〜６）
触媒担持ハニカム構造体を、表１に示すように缶体の内部に設置したこと以外は、実施例１と同様に構成された排ガス処理装置を作製した。得られた排ガス処理装置について、上記した缶体内への設置評価、暖気特性、ＰＭ堆積限界量、及び総合評価の評価を行った。評価結果を表１に示す。
【０１０４】
（結果）
実施例１〜３７の排ガス処理装置は、共に良好（総合評価における△〜◎）な結果を得ることができた。比較例１の排ガス処理装置は、触媒担持ハニカム構造体（ハニカム触媒体）とハニカムフィルタとを直列（即ち、なす角が０°）となるように配置されたものであり、装置がガスの流れ方向に長くなり、設置スペースの確保が困難なものであった。
【０１０５】
また、比較例１〜３の排気ガス処理装置は、触媒担持ハニカム構造体における把持材の割合が高いため、暖気特性が極めて悪いものであった。また、比較例４の排気ガス処理装置は、触媒担持ハニカム構造体における把持材の割合が低すぎて、触媒担持ハニカム構造体を把持し評価を行う際に、振動により担体がずれてしまいハニカム構造体を保持することが困難で、各評価を行うことができなかった。
【０１０６】
また、実施例９及び１０においては、「ハニカム触媒体とハニカムフィルタとのなす角度」が１２０°に近づくにつれて圧力損失が大きくなっており、比較例６のように、「ハニカム触媒体とハニカムフィルタとのなす角度」が１２０°を超える（比較例６は１３０°）と、圧力損失が大きくなり過ぎて、装置として使用が困難となる。一方、実施例５及び６においては、「ハニカム触媒体とハニカムフィルタとのなす角度」が６０°に近づくにつれて暖気特性が低くなっており、比較例５のように、「ハニカム触媒体とハニカムフィルタとのなす角度」が６０°未満（比較例５は５０°）であると、十分な暖気効果を得ることができなかった。
【０１０７】
なお、実施例１５、２０及び２５においては、流出側端面の切り欠きの割合が５０％と大きかったため、触媒性能の若干の低下が見られたため、総合評価において良好（○）の結果とした。
【０１０８】
また、実施例３０は、触媒担持ハニカム構造体と缶体との隙間が比較的に大きくなるため（即ち、触媒担持ハニカム構造体の直径と隙間との割合が０．３であるため）に、暖気特性がやや低下していた。更に、触媒担持ハニカム構造体の直径と隙間との割合が０．３５となる実施例３１は、更に暖気特性が低下していたため、総合評価をやや良好（△）とした。
【０１０９】
一方、触媒担持ハニカム構造体の直径と隙間との割合が０．０５となる実施例２６は、圧力損失がやや低下し、更に、上記隙間が狭く、暖気特性も若干低下していたため、総合評価をやや良好（△）とした。即ち、実施例２６〜３１の評価結果により、触媒担持ハニカム構造体の直径と隙間との割合は、０．１〜０．３の範囲が好ましいことが判明した。
【０１１０】
また、実施例３６は、触媒担持ハニカム構造体と缶体との隙間が比較的に大きくなるため（即ち、触媒担持ハニカム構造体の長さと隙間との割合が０．３５であるため）に、暖気特性がやや低下していた。更に、触媒担持ハニカム構造体の長さと隙間との割合が０．４となる実施例３７は、更に暖気特性が低下していたため、総合評価をやや良好（△）とした。
【０１１１】
一方、触媒担持ハニカム構造体の長さと隙間との割合が０．１となる実施例３２は、圧力損失がやや低下していたため、総合評価をやや良好（△）とした。即ち、実施例３２〜３７の評価結果により、触媒担持ハニカム構造体の長さと隙間との割合は、０．１５〜０．３５の範囲が好ましいことが判明した。
【産業上の利用可能性】
【０１１２】
本発明の排ガス処理装置は、ディーゼルエンジン、普通自動車用エンジン、トラックやバス等の大型自動車用エンジンをはじめとする内燃機関、各種燃焼装置から排出される排ガス中に含まれるパティキュレートを捕集し、排ガスを浄化するために好適に用いることができる。
【符号の説明】
【０１１３】
１Ａ，１Ｂ，１Ｃ，１Ｄ，１Ｅ：排ガス処理装置、１０：触媒担持ハニカム構造体、１１：隔壁、１２：セル、１３：ハニカム担体、１６：流入側端面、１７：流出側端面、１８，１８ａ，１８ｂ：外周面（触媒担持ハニカム構造体の外周面）、２０：ハニカムフィルタ、２１：隔壁、２２：セル、２２ａ：所定のセル、２２ｂ：残余のセル、２３：フィルタ用ハニカム構造体、２４：ハニカムセグメント、２５：目封止部、２６：流入側の開口端部、２７：流出側の開口端部、２８：外周面（ハニカムフィルタの外周面）、２９：接合材層、３０，３０ａ：缶体、３１：上流側（缶体の上流側）、３２：下流側（缶体の下流側）、３３：把持材、３４：突起部、１００：ハニカム構造体、１０１ａ，１０１ｂ：セル、１０５：隔壁、１０７：目封止部、１１０：（従来の）ハニカムフィルタ、Ａ：角（中心軸ａ１と中心軸ａ２とのなす角）、ａ１：中心軸（触媒担持ハニカム構造体の中心軸）、ａ２：中心軸（ハニカムフィルタの中心軸）、Ｄ１：触媒担持ハニカム構造体の長手方向に垂直な断面の直径、Ｌ１：触媒担持ハニカム構造体の長手方向の長さ、Ｇ，Ｇ１，Ｇ２：排ガス。
【図１Ａ】
2011117409.tif 000004
【図１Ｂ】
2011117409.tif 000005
【図２】
2011117409.tif 000006
【図３】
2011117409.tif 000007
【図４】
2011117409.tif 000008
【図５Ａ】
2011117409.tif 000009
【図５Ｂ】
2011117409.tif 000010
【図６】
2011117409.tif 000011
【図７】
2011117409.tif 000012
【図８Ａ】
2011117409.tif 000013
【図８Ｂ】
2011117409.tif 000014
【図９】
2011117409.tif 000015
【図１０】
2011117409.tif 000016
【図１１】
2011117409.tif 000017